(57)【要約】  本発明は、作業物質およびイオン性液体を含有する作業物質組み合わせ、吸収ヒートポンプ、吸収冷凍機および熱変換器ならびに相応する装置中での該組み合わせの使用に関する。【特許請求の範囲】
【請求項１】
Ａ）作業物質、
Ｂ）イオン性液体
を含有する、吸収ヒートポンプ、吸収冷凍機および吸収に基づいた熱変換器のための作業物質組み合わせ。
【請求項２】
イオン性液体が、一般式Ｉ、ＩＩまたはＩＩＩの塩
Ｂ１）［Ａ］n+［Ｙ］n-          （Ｉ）
［式中、ｎは１、２、３または４を表し、［Ａ］+は、第四級アンモニウムカチオン、オキソニウムカチオン、スルホニウムカチオンまたはホスホニウムカチオンを表し、かつ［Ｙ］n-は、一価、二価、三価または四価のアニオンを表す］
Ｂ２）一般式（ＩＩ）の混合された塩
【化１】
2007538222.tif 000020
［式中、［Ａ1］+、［Ａ2］+、［Ａ3］+および［Ａ4］+は、相互に無関係に、［Ａ］+に関して記載した基から選択されており、かつ［Ｙ］n-は、Ｂ１）に記載した意味を有する］または
Ｂ３）一般式（ＩＩＩ）の混合された塩
【化２】
2007538222.tif 000021
［式中、［Ａ1］+、［Ａ2］+および［Ａ3］+は、相互に無関係に［Ａ］+に関して記載した基から選択されており、［Ｙ］n-は、Ｂ１）に記載した意味を有し、かつ［Ｍ1］+、［Ｍ2］+、［Ｍ3］+は、一価の金属カチオン、［Ｍ4］2+は二価の金属カチオンおよび［Ｍ5］3+は三価の金属カチオンを表す］
またはこれらの混合物である、請求項１記載の作業物質組み合わせ。
【請求項３】
成分Ｂとして、式Ｉ、ＩＩまたはＩＩＩのイオン性液体を含有する、請求項１または２記載の作業物質組み合わせ。
【請求項４】
成分Ｂとして、少なくとも１の式Ｉ、ＩＩまたはＩＩＩのイオン性液体を含有する、請求項１または２記載の作業物質組み合わせ。
【請求項５】
イオン性液体が、−２０〜２００℃、有利には０〜１８０℃および特に有利には２０〜１５０℃の温度範囲で液状であることを特徴とする、請求項１から４までのいずれか１項記載の作業物質組み合わせ。
【請求項６】
作業物質およびイオン性液体が、−２０〜２００℃、特に有利には−５〜１５０℃で混和性であることを特徴とする、請求項１から５までのいずれか１項記載の作業物質組み合わせ。
【請求項７】
作業物質が水であることを特徴とする、請求項１から６までのいずれか１項記載の作業物質組み合わせ。
【請求項８】
作業物質およびイオン性液体が、−６０〜１００℃、特に有利には−４０〜５０℃の温度範囲で混和性であることを特徴とする、請求項１から５までのいずれか１項記載の作業物質組み合わせ。
【請求項９】
作業物質がアンモニアであることを特徴とする、請求項１から５および８のいずれか１項記載の作業物質組み合わせ。
【請求項１０】
吸収ヒートポンプ、吸収冷凍機および熱変換器中での請求項１から９までのいずれか１項記載の作業物質組み合わせの使用。
【請求項１１】
吸収ヒートポンプ、吸収冷凍機および熱変換器中での吸収剤としてのイオン性液体の使用。
【請求項１２】
凝縮器、膨張機関、ボイラー、吸収装置および作業物質組み合わせを有し、該作業物質組み合わせは作業物質および吸収剤を含有する、吸収ヒートポンプ、吸収冷凍機および熱変換器において、吸収剤がイオン性液体であることを特徴とする、吸収ヒートポンプ、吸収冷凍機および熱変換器。
【請求項１３】
作業物質の吸収を請求項２から４までのいずれか１項に記載されているイオン性液体中で行うことを特徴とする、吸収ヒートポンプ。
【請求項１４】
作業物質の吸収を請求項２から４までのいずれか１項に記載されているイオン性液体中で行うことを特徴とする、吸収冷凍機。
【請求項１５】
作業物質の吸収を請求項２から４までのいずれか１項に記載されているイオン性液体中で行うことを特徴とする、吸収熱変換器。
【発明の詳細な説明】
【技術分野】
【０００１】
本発明は、吸収ヒートポンプ、吸収冷凍機および熱変換器のための新規の作業物質組み合わせに関する。
【０００２】
吸収循環は、原則として加熱および冷却の際に、ならびに熱の回収の際に合理的にエネルギーを利用する優れた可能性を提供し、その際、液体ポンプの運転のためには、高価な電気エネルギーの最小限の利用が必要とされるにすぎない。
【０００３】
この技術の特に有意義かつ将来的な適用は、再生エネルギー、たとえば太陽エネルギーまたは形状寸法による建物の空調および多数の工業的なプロセスからの廃熱の利用もしくは回収である。
【０００４】
２つの循環の変法を区別することができる：
１．吸収ヒートポンプ（ＡＷＰ）および吸収冷凍機（ＡＫＭ）
これらの方法変法では、熱は比較的高い温度水準（始動熱）で、循環プロセスに供給され、中程度の温度水準（加熱温度）で熱は放出され、かつ熱は低い温度水準で周囲から吸収される（周囲の冷却）。ＡＷＰおよびＡＫＭは、熱が周囲から吸収され、ひいては周囲において冷却が行われる、つまり「冷たさ」が発生する異なった温度水準によって区別されるのみである。
【０００５】
２．吸収熱変換器（ＡＷＴ）
この方法変法では、中程度の温度水準で生じる熱を循環プロセスに接続し、その一部を比較的高い温度水準に変換し、かつ利用熱として放出する。供給される熱の他方の部分は、低い温度水準で周囲に放出される。
【０００６】
吸収プロセスのための典型的な温度水準は、以下のように記載することができる：
−  高温      ８０〜１５０℃、
−  中温      ５０〜８０℃、
−  低温      −２０〜２０℃（ＡＷＰの場合は０℃より低い温度）。
【０００７】
熱を変換するための吸収プロセスは、１００年以上も前から公知であり、かつ技術的に実現されている（たとえばＵＳ３，６３８，４５２、ＵＳ３，６２６，７１６、ＤＥ１０１００３９５）。それにもかかわらず、今日までこれらの技術は、エネルギーおよび気候の問題の議論が増加する中で合理的なエネルギー使用の有意義な方法が求められているにもかかわらず、広く使用されるに至っていない。
【０００８】
このための主な理由は、この種のプロセスのために、技術的に効率のよい、危険がなく、かつ安全に運転できる作業物質組み合わせ（易揮発性作業物質と吸収剤）がなかったためである。
【０００９】
多数の研究作業において、ますます新しい可能な作業物質組み合わせが実験的に試験され、ならびに確認された混合物データによりプロセスがモデル化され、かつシミュレートされた（これに関してはＤ．Ｓｅｈｅｒ、Ｆｏｒｓｃｈｕｎｇｓｂｅｒｉｃｈｔｅ  ｄｅｓ  Ｄｅｕｔｓｃｈｅｎ  Ｋａｅｌｔｅ−  ｕｎｄ  Ｋｌｉｍａｔｅｃｈｎｉｓｃｈｅｎ  Ｖｅｒｅｉｎｓ、Ｎｏ．１６、１９８５；Ｒ．Ｈｅｎｇｅｒｅｒ、Ｄｉｓｓｅｒｔａｔｉｏｎ  Ｕｎｉｖｅｒｓｉｔａｅｔ  Ｓｔｕｔｔｇａｒｔ、１９９１；Ａ．Ｏ．Ｇｅｎｓｓｌｅ、Ｆｏｒｔｓｃｈｒｉｔｔ−Ｂｅｒｉｃｈｔｅ  ＶＤＩ、Ｒｅｉｈｅ  １９、Ｎｏ．１３０、ＶＤＩ  Ｖｅｒｌａｇ  ２００１；Ａ．Ｄ．Ｌｕｃａｓ等、Ｉｎｔ．Ｊｏｕｒｎａｌ  ｏｆ  Ｒｅｆｒｉｇｅｒａｔｉｏｎ  ２７（２００４）３２４〜３３０を参照のこと）。
【００１０】
吸収ヒートポンプ、吸収冷凍機および熱変換器のための最適な作業物質組み合わせの基準は、上記の文献によれば以下のとおりに表すことができる：
−  非毒性および非爆発性、
−  約１５０℃までの化学的な安定性、
−  作業媒体、たとえば水の高い蒸発エンタルピー、
−  吸収剤中での作業媒体の高い溶解度、
−  吸収剤中に溶解した時の作業媒体の明らかな蒸気圧の低減、
−  吸収剤のごくわずかな蒸気圧、
−  作業媒体および吸収剤のできる限り完全な混和性、
−  作業媒体および吸収剤の良好な熱伝導性、
−  吸収剤および作業媒体と吸収剤とからなる混合物の低い粘度、
−  作業媒体も吸収剤も腐食性であってはならない。
【００１１】
吸収装置を実地で運転するためには、最終的に今日まで２つの物質系（作業物質組み合わせ）が使用されているにすぎない。これらはつまり臭化リチウム−水およびアンモニア−水であり、その際、後者は主としてＡＫＭ中で使用されている。今日まで試験された、有機成分を含有するすべての物質組み合わせは、技術的、環境上または安全に関する理由から排除された。
【００１２】
しかし両方の主に使用される物質系は、重大な欠点も有している。
【００１３】
たとえばアンモニア−水の物質系の場合、吸収循環において、吸収剤である水の揮発性に基づいて、両方の物質をほぼ完全に分離するための精留塔が必要であり、これは方法の全効率を低下させる。さらにアンモニアを凝縮するために必要とされる圧力は比較的高く、従って装置を相応して耐圧性に設計しなくてはならない。
【００１４】
臭化リチウム−水の作業物質組み合わせは、すべての無機塩含有系と同様に、顕著な混合ギャップを有する。下の温度水準が低すぎる場合、塩は溶液から晶出し、かつ装置は導管、バルブおよびポンプの閉塞により損なわれる。このような場合を回避するために、ごく少量の水を溶液から取り出し、臭化リチウムの濃度が高くなりすぎないようにする。このことによりガス排出量は低減し、かつこのことによって装置の効率が低下する。この効果以外に、装置の性能は、比較的大量の水を吸収媒体のための溶剤として排出装置と吸収装置との間に輸送し、かつ冷却しなくてはならないことによりさらに低減する。さらに濃縮された臭化リチウムの水溶液は高い温度で極めて腐食性であり、このことにより、特定の構造材料の使用が強いられる。従ってＡ．Ｄ．Ｌｕｃａｓ等（Ｉｎｔ．Ｊｏｕｒｎａｌ  ｏｆ  Ｒｅｆｒｉｇｅｒａｔｉｏｎ  ２７（２００４）３２４〜３３０）は、これらの問題を減少するために、臭化リチウムとギ酸カリウムからなる塩混合物を使用することを提案している。しかしこれにより上記の問題は狭い範囲で緩和することができるにすぎない。この系もまた、実地では適切でないことが判明した。
【００１５】
これまで試験された作業物質組み合わせの欠点は、実質的に吸収剤中での作業物質の吸収の不足、作業物質と吸収剤との不完全な混和性および吸収剤の揮発性にある。さらに多くの場合、接触する材料において著しい腐食現象が現れ、このことによりこの作業物質組み合わせの使用が困難になっている。
【００１６】
本発明の課題は、吸収ヒートポンプ、吸収冷凍機および／または熱変換器中で使用するために適切であり、かつ上記の欠点を有していない作業物質組み合わせを見いだすことであった。
【００１７】
さらに、物質分離の問題を回避するために十分に低い蒸気圧を有し、予測される温度で安定しており、作業物質、たとえば水またはアンモニアと限定されることなく混和性であり、ならびにこれらを適切な方法で吸収することができる吸収剤を見いだすことが課題であった。さらに、すべての観察される温度範囲で液状であり、従って結晶化の問題が回避され、ならびにすべての吸収剤中に存在する作業物質、たとえば水またはアンモニアを取り出し、かつ利用することができる吸収剤を見いだすことが有利である。
【００１８】
４０年代の終わりからイオン性液体（英語ではｉｏｎｉｃ  ｌｉｑｕｉｄｓ）が公知である。これは有利に室温で、および室温より低い温度で液状の塩溶融液であり、これは非分子状のイオン性の特性を有する溶剤の新しい物質群である。公知の塩溶融液に対して区別されるイオン性液体の通常の定義は、８０℃より低い融点である。ここで別の箇所では室温より低い融点が挙げられている。この出願の範囲でイオン性液体とは、純粋な状態で８０℃より低い融点、有利には室温より低い融点を有する塩であると理解すべきである。
【００１９】
イオン性液体を生じる典型的なカチオン−／アニオンの組合せは、たとえばジアルキルイミダゾリウム、ピリジニウム、アンモニウムおよびホスホニウムと、ハロゲンイオン、テトラフルオロホウ酸イオン、メチルスルフェートである。それ以外に、低融点の塩を生じるカチオンとアニオンとの多数のその他の組合せが考えられる。
【００２０】
これらの物質群は、以下の特性により優れている：
−  多数の物質に対する良好な溶解特性、
−  実質的に蒸気圧を生じない（このことにより共沸混合物を形成しない）−非燃焼性、
−  −６０℃〜４００℃の広い液状範囲。
【００２１】
イオン性液体、その製造、特性および使用についての概要はたとえば、ｉｏｎｉｃ  Ｌｉｑｕｉｄ  ｉｎ  Ｓｙｎｔｈｅｓｉｓ、Ｐ．Ｗａｓｓｅｒｓｃｈｅｉｄ、Ｔ．Ｗｅｌｔｏｎ（編）、Ｗｉｌｅｙ；Ｇｒｅｅｎ  Ｉｎｄｕｓｔｒｉａｌ  Ａｐｐｌｉｃａｔｉｏｎｓ  ｏｎ  ｉｏｎｉｃ  Ｌｉｑｕｉｄｓ（ＮＡＴＯ  Ｓｃｉｅｎｃｅ  Ｓｅｒｉｅｓ．Ｉｉ．Ｍａｔｈｅｍａｔｉｃｓ，Ｐｈｙｓｉｃｓ  ａｎｄ  Ｃｈｅｍｉｓｔｒｙ、９２）；Ｒｏｂｉｎ  Ｄ．Ｒｏｇｅｒｓ（編）、Ｉｏｎｉｃ  Ｌｉｑｕｉｄｓ  "Ｉｎｄｕｓｔｒｉａｌ  Ａｐｐｌｉｃａｔｉｏｎｓ  ｆｏｒ  Ｇｒｅｅｎ  Ｃｈｅｍｉｓｔｒｙ"（ＡＣＳ  Ｓｙｍｐｏｓｉｕｍ  Ｓｅｒｉｅｓ、８１８）に記載されている。
【００２２】
ところで、作業物質およびイオン性液体を含有する作業物質組み合わせが判明した。さらに、イオン性液体が吸収ヒートポンプ、吸収冷凍機および熱変換器における吸収剤として使用することができることが判明した。同様に本発明は、作業物質組み合わせとして、作業物質およびイオン性液体を含有する吸収ヒートポンプ、吸収冷凍機および熱変換器に関する。
作業物質組み合わせは、
Ａ）作業物質
Ｂ）イオン性液体
を含有する。
【００２３】
本発明の意味におけるイオン性液体は、有利には１８０℃以下の融点を有する、一般式Ｉ、ＩＩ、ＩＩＩの塩
Ｂ１）［Ａ］n+［Ｙ］n-          （Ｉ）
［式中、ｎは１、２、３または４を表し、［Ａ］+は、第四級アンモニウムカチオン、オキソニウムカチオン、スルホニウムカチオンまたはホスホニウムカチオンを表し、かつ［Ｙ］n-は、一価、二価、三価または四価のアニオンを表す］
Ｂ２）一般式（ＩＩ）の混合された塩
【化１】
2007538222.tif 000002
［式中、［Ａ1］+、［Ａ2］+、［Ａ3］+および［Ａ4］+は、相互に無関係に、［Ａ］+に関して記載した基から選択されており、かつ［Ｙ］n-は、Ｂ１）に記載した意味を有する］または
Ｂ３）一般式（ＩＩＩ）の混合された塩
【化２】
2007538222.tif 000003
［式中、［Ａ1］+、［Ａ2］+および［Ａ3］+は、相互に無関係に［Ａ］+に関して記載した基から選択されており、［Ｙ］n-は、Ｂ１）に記載した意味を有し、かつ［Ｍ1］+、［Ｍ2］+、［Ｍ3］+は、一価の金属カチオン、［Ｍ4］2+は二価の金属カチオンおよび［Ｍ5］3+は三価の金属カチオンを表す］
またはこれらの混合物である。
【００２４】
本発明の意味における作業物質は、その蒸発エンタルピーが４００ＫＪ／ｋｇ以上である有機または無機の液体、有利には水、アンモニア、メタノールまたはフッ素化された塩化炭化水素、たとえばフレオン、フリゲン(Frigen)である。この場合、有利であるのは水、メタノールまたはアンモニアのような作業物質であり、特にアンモニアである。
【００２５】
有利にはイオン性液体は、１５０℃以下、特に８０℃以下の融点を有する。
【００２６】
もう１つの有利な実施態様では、イオン性液体は、−５０〜１５０℃の範囲、特に−２０〜１２０℃の範囲の融点を有する。
【００２７】
もう１つの有利な実施態様では、イオン性液体は、８０℃以下、特に室温以下の融点を有する。
【００２８】
さらに、そのカチオン［Ａ］+が、一般に１〜５個、有利には１〜３個、および特に有利には１〜２個の窒素原子を有する第四級アンモニウムカチオンであるイオン性液体は有利である。
【００２９】
適切なカチオンはたとえば一般式（ＩＶａ）〜（ＩＶｗ）
【化３】
2007538222.tif 000004
【００３０】
【化４】
2007538222.tif 000005
【００３１】
【化５】
2007538222.tif 000006
のカチオンならびにこれらの構造を有するオリゴマーである。
【００３２】
もう１つの適切なカチオンは、一般式（ＩＶｘ）
【化６】
2007538222.tif 000007
のホスホニウムカチオンならびに上記の構造を有するオリゴマーである。
【００３３】
上記の式（ＩＶａ）〜（ＩＶｘ）中では、
●基Ｒは、１個の炭素を有する有機の飽和または不飽和の、非環式または環式、脂肪族、芳香族または芳香脂肪族の、置換されていないか、または１〜５個のヘテロ原子または官能基により中断されているか、または置換された、１〜２０個の炭素原子を有する基を表し、かつ
●基Ｒ1〜Ｒ9は、相互に無関係に水素、スルホ基または１個の炭素を有する有機の、飽和または不飽和の、非環式または環式、脂肪族、芳香族または芳香脂肪族の、置換されていないか、または１〜５個のヘテロ原子または官能基により中断されているか、または置換された、１〜２０個の炭素原子を有する基を表し、その際、上記の式（ＩＶ）中で炭素原子に結合している（かつヘテロ原子に結合していない）基Ｒ1〜Ｒ9は、さらにハロゲンまたは官能基を表してもよく、または
Ｒ1〜Ｒ9の群からの２つの隣接する基は一緒になって炭素を有する二価の有機の、飽和または不飽和の、非環式または環式、脂肪族、芳香族または芳香脂肪族の、置換されていないか、または１〜５個のヘテロ原子または官能基により中断されているか、または置換されている、１〜３０個の炭素原子を有する基を表す。
【００３４】
ヘテロ原子として基ＲおよびＲ1〜Ｒ9の定義において原則として、形式的に−ＣＨ2−、−ＣＨ＝、−Ｃ≡または＝Ｃ＝基と代えることができるすべてのヘテロ原子が考えられる。炭素を有する基がヘテロ原子を有している場合、酸素、窒素、硫黄、リンおよびケイ素が有利である。有利な基として、特に−Ｏ−、−Ｓ−、−ＳＯ−、−ＳＯ2−、−ＮＲ′−、−Ｎ＝、−ＰＲ′−、−ＰＯＲ′−および−ＳｉＲ′2−が挙げられ、その際、基Ｒ′は炭素を有する基の残りの部分である。基Ｒ1〜Ｒ9はこの場合、これらの基が上記の式（ＩＶ）中で炭素原子に結合している（かつヘテロ原子に結合していない）場合には、直接ヘテロ原子を介して結合していてもよい。
【００３５】
官能基として、１個の炭素原子またはヘテロ原子に結合していてもよいすべての官能基が考えられる。適切な例として−ＯＨ（ヒドロキシ）、＝Ｏ（特にカルボニル基として）、−ＮＨ2（アミノ）、＝ＮＨ（イミノ）、−ＣＯＯＨ（カルボキシ）、−ＣＯＮＨ2（カルボキサミド）、−ＳＯ3Ｈ（スルホ）および−ＣＮ（シアノ）が挙げられる。官能基およびヘテロ原子は直接隣接していてもよく、従って複数の隣接する原子、たとえば−Ｏ−（エーテル）、−Ｓ−（チオエーテル）、−ＣＯＯ（エステル）、−ＣＯＮＨ−（第二級アミド）または−ＣＯＮＲ′−（第三級アミド）からなる組合せ、たとえばジ−（Ｃ1〜Ｃ4−アルキル）−アミノ、Ｃ1〜Ｃ4−アルコキシカルボニルまたはＣ1〜Ｃ4−アルキルオキシも包含される。
【００３６】
ハロゲンとしてフッ素、塩素、臭素およびヨウ素が挙げられる。
【００３７】
有利には基Ｒは、
●非分枝鎖状または分枝鎖状の、置換されていないか、または１〜複数のヒドロキシ、ハロゲン、フェニル、シアノ、Ｃ1〜Ｃ6−アルコキシカルボニルおよび／またはスルホン酸により置換されている、合計して１〜２０個の炭素原子を有するＣ1〜Ｃ18−アルキル、たとえばメチル、エチル、１−プロピル、２−プロピル、１−ブチル、２−ブチル、２−メチル−１−プロピル（イソブチル）、２−メチル−２−プロピル（ｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジ−メチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、１−ヘプチル、１−オクチル、１−ノニル、１−デシル、１−ウンデシル、１−ドデシル、１−テトラデシル、１−ヘキサデシル、１−オクタデシル、２−ヒドロキシエチル、ベンジル、３−フェニルプロピル、２−シアノエチル、２−（メトキシカルボニル）−エチル、２−（エトキシカルボニル）−エチル、２−（ｎ−ブトキシ−カルボニル）−エチル、トリフルオロメチル、ジフルオロメチル、フルオロメチル、ペンタフルオロエチル、ヘプタフルオロプロピル、ヘプタフルオロイソプロピル、ノナフルオロブチル、ノナフルオロイソブチル、ウンデシルフルオロペンチル、ウンデシルフルオロイソペンチル、６−ヒドロキシヘキシルおよびプロピルスルホン酸；
●グリコール、ブチレングリコールおよび１〜１００個の単位および１個の水素またはＣ1〜Ｃ8−アルキルを末端基として有するこれらのオリゴマー、たとえばＲAＯ−（ＣＨＲB−ＣＨ2−Ｏ）p−ＣＨＲB−ＣＨ2−または
ＲAＯ−（ＣＨ2ＣＨ2ＣＨ2ＣＨ2Ｏ）p−ＣＨ2ＣＨ2ＣＨ2ＣＨ2Ｏ−（式中、ＲAおよびＲBは有利には水素、メチルまたはエチルであり、かつｐは有利には０〜３、特に３−オキサブチル、３−オキサペンチル、３，６−ジオキサヘプチル、３，６−ジオキサオクチル、３，６，９−トリオキサデシル、３，６，９−トリオキサウンデシル、３，６，９，１２−テトラオキサトリデシルおよび３，６，９，１２−テトラオキサテトラデシル；
●ビニル；および
●Ｎ，Ｎ−ジ−Ｃ1〜Ｃ6−アルキルアミノ、たとえばＮ，Ｎ−ジメチルアミノおよびＮ，Ｎ−ジエチルアミノを表す。
【００３８】
特に有利には基Ｒは非分鎖状および非置換のＣ1〜Ｃ18−アルキル、たとえばメチル、エチル、１−プロピル、１−ブチル、１−ペンチル、１−ヘキシル、１−ヘプチル、１−オクチル、１−デシル、１−ドデシル、１−テトラデシル、１−ヘキサデシル、１−オクタデシルを表し、特にメチル、エチル、１−ブチルおよび１−オクチルならびにＣＨ3Ｏ−（ＣＨ2ＣＨ2Ｏ）p−ＣＨ2ＣＨ2−およびＣＨ3ＣＨ2Ｏ−（ＣＨ2ＣＨ2Ｏ）p−ＣＨ2ＣＨ2−を表し、その際、ｐは０〜３である。
【００３９】
有利には基Ｒ1〜Ｒ9は相互に無関係に、
●水素；
●ハロゲン；
●官能基；
●場合により官能基、アリール、アルキル、アリールオキシ、アルキルオキシ、ハロゲン、ヘテロ原子および／または複素環により置換されているか、かつ／または１もしくは複数の酸素原子および／または硫黄原子および／または１もしくは複数の置換されているか、または置換されていないイミノ基により中断されているＣ1〜Ｃ18−アルキル；
●場合により官能基、アリール、アルキル、アリールオキシ、アルキルオキシ、ハロゲン、ヘテロ原子および／または複素環により置換されているか、かつ／または１もしくは複数の酸素原子および／または硫黄原子および／または１もしくは複数の置換されているか、または置換されていないイミノ基により中断されているＣ2〜Ｃ18−アルケニル；
●場合により官能基、アリール、アルキル、アリールオキシ、アルキルオキシ、ハロゲン、ヘテロ原子および／または複素環により置換されているＣ6〜Ｃ12−アリール；
●場合により官能基、アリール、アルキル、アリールオキシ、アルキルオキシ、ハロゲン、ヘテロ原子および／または複素環により置換されているＣ5〜Ｃ12−シクロアルキル；
●場合により官能基、アリール、アルキル、アリールオキシ、アルキルオキシ、ハロゲン、ヘテロ原子および／または複素環により置換されているＣ5〜Ｃ12−シクロアルケニル；または
●場合により官能基、アリール、アルキル、アリールオキシ、アルキルオキシ、ハロゲン、ヘテロ原子および／または複素環により置換されている５員〜６員の、酸素原子、窒素原子および／または硫黄原子を有する複素環を表すか、または
２つの隣接する基が一緒になって、
●不飽和、飽和または芳香族の、場合により官能基、アリール、アルキル、アリールオキシ、アルキルオキシ、ハロゲン、ヘテロ原子および／または複素環により置換されており、かつ場合により１もしくは複数の酸素原子および／または硫黄原子および／または１もしくは複数の置換されているか、または置換されていないイミノ基により中断されている環を表す。
【００４０】
場合により官能基、アリール、アルキル、アリールオキシ、アルキルオキシ、ハロゲン、ヘテロ原子および／または複素環により置換されているＣ1〜Ｃ18−アルキルは、有利にはメチル、エチル、１−プロピル、２−プロピル、１−ブチル、２−ブチル、２−メチル−１−プロピル（イソブチル）、２−メチル−２−プロピル（ｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、ヘプチル、オクチル、２−エチルヘキシル、２，４，４−トリメチル−ペンチル、１，１，３，３−テトラメチルブチル、１−ノニル、１−デシル、１−ウンデシル、１−ドデシル、１−トリデシル、１−テトラデシル、１−ペンタデシル、１−ヘキサデシル、１−ヘプタデシル、１−オクタデシル、シクロペンチル−メチル、２−シクロペンチルエチル、３−シクロペンチルプロピル、シクロヘキシルメチル、２−シクロヘキシルエチル、３−シクロヘキシルプロピル、ベンジル（フェニルメチル）、ジフェニルメチル（ベンゾヒドリル）、トリフェニルメチル、１−フェニルエチル、２−フェニルエチル、３−フェニルプロピル、α，α−ジメチルベンジル、ｐ−トリルメチル、１−（ｐ−ブチルフェニル）−エチル、ｐ−クロロベンジル、２，４−ジクロロベンジル、ｐ−メトキシベンジル、ｍ−エトキシベンジル、２−シアノエチル、２−シアノプロピル、２−メトキシカルボニルエチル、２−エトキシカルボニルエチル、２−ブトキシカルボニルプロピル、１，２−ジ−（メトキシカルボニル）−エチル、メトキシ、エトキシ、ホルミル、１，３−ジオキソラン−２−イル、１，３−ジオキサン−２−イル、２−メチル−１，３−ジオキソラン−２−イル、４−メチル−１，３−ジオキソラン−２−イル、２−ヒドロキシエチル、２−ヒドロキシプロピル、３−ヒドロキシプロピル、４−ヒドロキシブチル、６−ヒドロキシヘキシル、２−アミノエチル、２−アミノプロピル、３−アミノプロピル、４−アミノブチル、６−アミノヘキシル、２−メチルアミノエチル、２−メチルアミノプロピル、３−メチルアミノプロピル、４−メチル−アミノブチル、６−メチルアミノヘキシル、２−ジメチルアミノエチル、２−ジメチルアミノプロピル、３−ジメチルアミノプロピル、４−ジメチルアミノブチル、６−ジメチルアミノヘキシル、２−ヒドロキシ−２，２−ジメチルエチル、２−フェノキシエチル、２−フェノキシプロピル、３−フェノキシプロピル、４−フェノキシブチル、６−フェノキシヘキシル、２−メトキシエチル、２−メトキシプロピル、３−メトキシプロピル、４−メトキシブチル、６−メトキシヘキシ��、２−エトキシエチル、２−エトキシプロピル、３−エトキシプロピル、４−エトキシブチル、６−エトキシヘキシル、アセチル、ＣqＦ2(q-a)+(1-b)Ｈ2a+b（その際、ｑは１〜３０であり、０≦ａ≦ｑおよびｂ＝０または１である（たとえばＣＦ3、Ｃ2Ｆ5、ＣＨ2ＣＨ2−Ｃ(q-2)Ｆ2(q-2)+1、Ｃ6Ｆ13、Ｃ8Ｆ17、Ｃ10Ｆ21、Ｃ12Ｆ25））、クロロメチル、２−クロロエチル、トリクロロメチル、１，１−ジメチル−２−クロロエチル、メトキシメチル、２−ブトキシエチル、ジエトキシメチル、ジエトキシエチル、２−イソプロポキシエチル、２−ブトキシプロピル、２−オクチルオキシエチル、２−メトキシイソプロピル、２−（メトキシカルボニル）−エチル、２−（エトキシカルボニル）−エチル、２−（ｎ−ブトキシカルボニル）−エチル、ブチルチオメチル、２−ドデシルチオエチル、２−フェニルチオエチル、５−ヒドロキシ−３−オキサ−ペンチル、８−ヒドロキシ−３，６−ジオキサ−オクチル、１１−ヒドロキシ−３，６，９−トリオキサ−ウンデシル、７−メトキシ−４−オキサ−ヘプチル、１１−ヒドロキシ−４，８−ジオキサ−ウンデシル、１５−メトキシ−４，８，１２−トリオキサ−ペンタデシル、９−ヒドロキシ−５−オキサ−ノニル、１４−ヒドロキシ−５，１０−ジオキサ−テトラデシル、５−メトキシ−３−オキサ−ペンチル、８−メトキシ−３，６−ジオキサ−オクチル、１１−ヒドロキシ−３，６，９−トリオキサウンデシル、７−ヒドロキシ−４−オキサ−ヘプチル、１１−ヒドロキシ−４，８−ジオキサ−ウンデシル、１５−ヒドロキシ−４，８，１２−トリオキサ−ペンタデシル、９−メトキシ−５−オキサ−ノニル、１４−メトキシ−５，１０−ジオキサ−テトラデシル、５−エトキシ−３−オキサ−ペンチル、８−エトキシ−３，６−ジオキサ−オクチル、１１−エトキシ−３，６，９−トリオキサ−ウンデシル、７−エトキシ−４−オキサ−ヘプチル、１１−エトキシ−４，８−ジオキサ−ウンデシル、１５−エトキシ−４，８，１２−トリオキサ−ペンタデシル、９−エトキシ−５−オキサ−ノニルまたは１４−エトキシ−５，１０−オキサ−テトラデシルである。
【００４１】
場合により官能基、アリール、アルキル、アリールオキシ、アルキルオキシ、ハロゲン、ヘテロ原子および／または複素環により置換されている、かつ／または１もしくは複数の酸素原子および／または硫黄原子および／または１もしくは複数の置換されているか、または置換されていないイミノ基により中断されているＣ2〜Ｃ18−アルケニルは、有利にはビニル、２−プロペニル、３−ブテニル、シス−２−ブテニル、トランス−２−ブテニルまたはＣqＦ2(q-a)-(1-b)Ｈ2a-b（その際、ｑ≦３０、０≦ａ≦ｑおよびｂ＝０または１である）である。
【００４２】
場合により官能基、アリール、アルキル、アリールオキシ、アルキルオキシ、ハロゲン、ヘテロ原子および／または複素環により置換されているＣ6〜Ｃ12−アリールは有利にはフェニル、トリル、キシリル、α−ナフチル、β−ナフチル、４−ジフェニリル、クロロフェニル、ジクロロフェニル、トリクロロフェニル、ジフルオロフェニル、メチルフェニル、ジメチルフェニル、トリメチルフェニル、エチルフェニル、ジエチルフェニル、イソ−プロピルフェニル、ｔ−ブチルフェニル、ドデシルフェニル、メトキシフェニル、ジメトキシフェニル、エトキシフェニル、ヘキシルオキシフェニル、メチルナフチル、イソプロピルナフチル、クロロナフチル、エトキシナフチル、２，６−ジメチルフェニル、２，４，６−トリメチルフェニル、２，６−ジメトキシフェニル、２，６−ジクロロフェニル、４−ブロモフェニル、２−ニトロフェニル、４−ニトロフェニル、２，４−ジニトロフェニル、２，６−ジニトロフェニル、４−ジメチルアミノフェニル、４−アセチルフェニル、メトキシエチルフェニル、エトキシメチルフェニル、メチルチオフェニル、イソプロピルチオフェニルまたはｔ−ブチルチオフェニルまたはＣ6Ｆ(5-a)Ｈa（その際、０≦ａ≦５である）である。
【００４３】
場合により官能基、アリール、アルキル、アリールオキシ、アルキルオキシ、ハロゲン、ヘテロ原子および／または複素環により置換されているＣ5〜Ｃ12−シクロアルキルは有利にはシクロペンチル、シクロヘキシル、シクロオクチル、シクロドデシル、メチルシクロペンチル、ジメチルシクロペンチル、メチルシクロヘキシル、ジメチルシクロヘキシル、ジエチルシクロヘキシル、ブチルシクロヘキシル、メトキシシクロヘキシル、ジメトキシシクロヘキシル、ジエトキシシクロヘキシル、ブチルチオシクロヘキシル、クロロシクロヘキシル、ジクロロシクロヘキシル、ジクロロシクロペンチル、ＣqＦ2(q-a)-(1-b)Ｈ2a-b（その際、ｑ≦３０、０≦ａ≦ｑおよびｂ＝０または１である）ならびに飽和または不飽和の二環式構造、たとえばノルボルニルまたはノルボルネニルである。
【００４４】
場合により官能基、アリール、アルキル、アリールオキシ、アルキルオキシ、ハロゲン、ヘテロ原子および／または複素環により置換されているＣ5〜Ｃ12−シクロアルケニルは有利には３−シクロペンテニル、２−シクロヘキセニル、３−シクロヘキセニル、２，５−シクロヘキサジエニルまたはＣqＦ2(q-a)-3(1-b)Ｈ2a-3b（その際、ｑ≦３０、０≦ａ≦ｑおよびｂ＝０または１である）である。
【００４５】
場合により官能基、アリール、アルキル、アリールオキシ、アルキルオキシ、ハロゲン、ヘテロ原子および／または複素環により置換されている５員〜６員の、酸素原子、窒素原子および／または硫黄原子を有する複素環は有利にはフリル、チオフェニル、ピリル、ピリジル、インドリル、ベンズオキサゾリル、ジオキソリル、ジオキシル、ベンズイミダゾリル、ベンズチアゾリル、ジメチルピリジル、メチルキノリル、ジメチルピリル、メトキシフリル、ジメトキシピリジルまたはジフルオロピリジルである。
【００４６】
隣接する２つの基が一緒になって不飽和、飽和または芳香族の、場合により官能基、アリール、アルキル、アリールオキシ、アルキルオキシ、ハロゲン、ヘテロ原子および／または複素環により置換されており、かつ場合により１もしくは複数の酸素原子および／または硫黄原子および／または１もしくは複数の置換されているか、または置換されていないイミノ基により中断されている環を形成する場合、これらは有利には１，３−プロピレン、１，４−ブチレン、１，５−ペンチレン、２−オキサ−１，３−プロピレン、１−オキサ−１，３−プロピレン、２−オキサ−１，３−プロピレン、１−オキサ−１，３−プロペニレン、３−オキサ−１，５−ペンチレン、１−アザ−１，３−プロペニレン、１−Ｃ1〜Ｃ4−アルキル−１−アザ−１，３−プロペニレン、１，４−ブタ−１，３−ジエニレン、１−アザ−１，４−ブタ−１，３−ジエニレンまたは２−アザ−１，４−ブタ−１，３−ジエニレンである。
【００４７】
上記の基が酸素原子および／または硫黄原子および／または置換されているか、または置換されていないイミノ基を有している場合、該酸素原子および／または硫黄原子および／またはイミノ基の数は制限されない。通常、その数は基中で５を超えることはなく、有利には４を越えることはなく、かつ特に有利には３を越えることはない。
【００４８】
上記の基がヘテロ原子を有している場合、通常は２つのヘテロ原子の間に少なくとも１個の炭素原子、有利には少なくとも２個の炭素原子が存在している。
【００４９】
特に有利には、基Ｒ1〜Ｒ9は相互に無関係に次のものを表す：
●水素；
●非分枝鎖状または分枝鎖状の、置換されていないか、または１もしくは複数のヒドロキシ、ハロゲン、フェニル、シアノ、Ｃ1〜Ｃ6−アルコキシカルボニルおよび／またはスルホン酸により置換されている、合計で１〜２０個の炭素原子を有するＣ1〜Ｃ18−アルキル、たとえばメチル、エチル、１−プロピル、２−プロピル、１−ブチル、２−ブチル、２−メチル−１−プロピル（イソブチル）、２−メチル−２−プロピル（ｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、１−ヘプチル、１−オクチル、１−ノニル、１−デシル、１−ウンデシル、１−ドデシル、１−テトラデシル、１−ヘキサデシル、１−オクタデシル、２−ヒドロキシエチル、ベンジル、３−フェニルプロピル、２−シアノエチル、２−（メトキシカルボニル）−エチル、２−（エトキシカルボニル）−エチル、２−（ｎ−ブトキシ−カルボニル）−エチル、トリフルオロメチル、ジフルオロメチル、フルオロメチル、ペンタフルオロエチル、ヘプタフルオロプロピル、ヘプタフルオロイソプロピル、ノナフルオロブチル、ノナフルオロイソブチル、ウンデシルフルオロペンチル、ウンデシルフルオロイソペンチル、６−ヒドロキシヘキシルおよびプロピルスルホン酸；
●グリコール、ブチレングリコールおよび１〜１００個の単位および１個の水素またはＣ1〜Ｃ8−アルキルを末端基として有するこれらのオリゴマー、たとえばＲAＯ−（ＣＨＲB−ＣＨ2−Ｏ）p−ＣＨＲB−ＣＨ2−または
ＲAＯ−（ＣＨ2ＣＨ2ＣＨ2ＣＨ2Ｏ）p−ＣＨ2ＣＨ2ＣＨ2ＣＨ2Ｏ−（その際、ＲAおよびＲBは有利には水素、メチルまたはエチルであり、かつｐは有利には０〜３であり、特に３−オキサブチル、３−オキサペンチル、３，６−ジオキサヘプチル、３，６−ジオキサオクチル、３，６，９−トリオキサデシル、３，６，９−トリオキサウンデシル、３，６，９，１２−テトラオキサトリデシルおよび３，６，９，１２−テトラオキサテトラデシル；
●ビニル；および
●Ｎ，Ｎ−ジ−Ｃ1〜Ｃ6−アルキル−アミノ、たとえばＮ，Ｎ−ジメチルアミノおよびＮ，Ｎ−ジエチルアミノ。
【００５０】
とりわけ有利には基Ｒ1〜Ｒ9は相互に無関係に、水素またはＣ1〜Ｃ18−アルキル、たとえばメチル、エチル、１−ブチル、１−ペンチル、１−ヘキシル、１−ヘプチル、１−オクチルを表すか、フェニル、２−ヒドロキシエチル、２−シアノエチル、２−（メトキシカルボニル）エチル、２−（エトキシカルボニル）エチル、２−（ｎ−ブトキシカルボニル）エチル、Ｎ，Ｎ−ジメチルアミノ、Ｎ，Ｎ−ジエチルアミノ、塩素ならびにＣＨ3Ｏ−（ＣＨ2ＣＨ2Ｏ）p−ＣＨ2ＣＨ2−およびＣＨ3ＣＨ2Ｏ−（ＣＨ2ＣＨ2Ｏ）pＣＨ2ＣＨ2−（その際、ｐは０〜３である）を表す。
【００５１】
とりわけ有利であるのは、カチオン［Ａ］+が、
●基Ｒ1〜Ｒ5が、メチル、エチルまたは塩素であり、かつ残りの基Ｒ1〜Ｒ5が水素である；
●Ｒ3が、ジメチルアミノであり、かつ残りの基Ｒ1、Ｒ2、Ｒ4およびＲ5が水素である；
●すべての基Ｒ1〜Ｒ5が水素である；
●Ｒ2が、カルボキシまたはカルボキサミドであり、かつ残りの基Ｒ1、Ｒ2、Ｒ4およびＲ5が水素である；または
●Ｒ1およびＲ2またはＲ2およびＲ3が、１，４−ブタ−１，３−ジエニレンであり、かつ残りの基Ｒ1、Ｒ2、Ｒ4およびＲ5が、水素である；
であるピリジニウムイオン（ＩＶａ）であるイオン性液体、および特に
●Ｒ1〜Ｒ5が、水素である；または
●基Ｒ1〜Ｒ5の１つが、メチルまたはエチルであり、かつ残りの基Ｒ1〜Ｒ5が水素である
ピリジニウムイオン（ＩＶａ）であるイオン性液体である。
【００５２】
とりわけ有利なピリジニウムイオン（ＩＶａ）として、１−メチルピリジニウム、１−エチルピリジニウム、１−（１−ブチル）ピリジニウム、１−（１−ヘキシル）ピリジニウム、１−（１−オクチル）−ピリジニウム、１−（１−ヘキシル）−ピリジニウム、１−（１−オクチル）ピリジニウム、１−（１−ドデシル）−ピリジニウム、１−（１−テトラデシル）−ピリジニウム、１−（１−ヘキサデシル）−ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチルピリジニウム、１−（１−ドデシル）−２−メチルピリジニウム、１−（１−テトラデシル）−２−メチルピリジニウム、１−（１−ヘキサデシル）−２−メチルピリジニウム、１−メチル−２−エチルピリジニウム、１，２−ジエチルピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチルピリジニウム、１−（１−ヘキサデシル）−２−エチルピリジニウム、１，２−ジメチル−５−エチル−ピリジニウム、１，５−ジエチル−２−メチル−ピリジニウム、１−（１−ブチル）−２−メチル−３−エチル−ピリジニウム、１−（１−ヘキシル）−２−メチル−３−エチル−ピリジニウムおよび１−（１−オクチル）−２−メチル−３−エチル−ピリジニウム、１−（１−−ドデシル）−２−メチル−３−エチル−ピリジニウム、１−（１−テトラデシル）−２−メチル−３−エチル−ピリジニウムおよび１−（１−ヘキサデシル）−２−メチル−３−エチル−ピリジニウムが挙げられる。
【００５３】
とりわけ有利であるのは、カチオン［Ａ］+が、
●Ｒ1〜Ｒ4が、水素である；または
●基Ｒ1〜Ｒ4の１つが、メチルまたはエチルであり、かつ残りの基Ｒ1〜Ｒ4が水素である
のピリダジニウムイオン（ＩＶｂ）であるイオン性液体である。
【００５４】
とりわけ有利であるのは、カチオン［Ａ］+が、
●Ｒ1が水素、メチルまたはエチルであり、かつＲ2〜Ｒ4が相互に無関係に水素またはメチルである；または
●Ｒ1が、水素、メチルまたはエチルであり、Ｒ2およびＲ4が、メチルであり、かつＲ3が水素である
ピリミジニウムイオン（ＩＶｃ）であるイオン性液体である。
【００５５】
とりわけ有利であるのは、カチオン［Ａ］+が、
●Ｒ1が、水素、メチルまたはエチルであり、かつＲ2〜Ｒ4が、相互に無関係に水素またはメチルである；
●Ｒ1が、水素、メチルまたはエチルであり、Ｒ2およびＲ4が、メチルであり、かつＲ3が、水素である；
●Ｒ1〜Ｒ4が、メチルである；または
●Ｒ1〜Ｃ4が、メチル、水素である
ピラジニウムイオン（ＩＶｄ）であるイオン性液体である。
【００５６】
とりわけ有利であるのは、カチオン［Ａ］+が、
●Ｒ1が、水素、メチル、エチル、１−プロピル、１−ブチル、１−ペンチル、１−ヘキシル、１−オクチル、２−ヒドロキシエチルまたは２−シアノエチルであり、かつＲ2〜Ｒ4が相互に無関係に水素、メチルまたはエチルである
イミダゾリウムイオン（ＩＶｅ）であるイオン性液体である。
【００５７】
とりわけ有利なイミダゾリウムイオン（ＩＶｅ）として、１−メチルイミダゾリウム、１−エチルイミダゾリウム、１−（１−ブチル）−イミダゾリウム、１−（１−オクチル）−イミダゾリウム、１−（１−ドデシル）−イミダゾリウム、１−（１−テトラデシル）−イミダゾリウム、１−（１−ヘキサデシル）−イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチルイミダゾリウム、１−（１−ヘキシル）−３−エチル−イミダゾリウム、１−（１−ヘキシル）−３−ブチル−イミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチル−イミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチルイミダゾリウム、１−（１−ヘキシル）−２，３−ジメチル−イミダゾリウム、１−（１−オクチル）−２，３−ジメチルイミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチル−イミダゾリウム、１，４，５−トリメチル−３−ブチルイミダゾリウムおよび１，４，５−トリメチル−３−オクチル−イミダゾリウムが挙げられる。
【００５８】
特に有利であるのは、カチオン［Ａ］+が、
●Ｒ1が、水素、メチルまたはエチルであり、かつＲ2〜Ｒ4が相互に無関係に水素またはメチルである
ピラゾリウムイオン（ＩＶｆ）、（ＩＶｇ）もしくは（ＩＶｇ′）であるイオン性液体である。
【００５９】
とりわけ有利であるのは、カチオン［Ａ］+が、
●Ｒ1〜Ｒ4が、相互に無関係に水素またはメチルである
ピラゾリウムイオン（ＩＶｈ）であるイオン性液体である。
【００６０】
とりわけ有利であるのは、カチオン［Ａ］+が、
●相互に無関係にＲ1〜Ｒ6が水素またはメチルである
１−ピラゾリウムイオン（ＩＶｉ）であるイオン性液体である。
【００６１】
とりわけ有利であるのは、カチオン［Ａ］+が、
●Ｒ1が、水素、メチル、エチルまたはフェニルであり、かつＲ2〜Ｒ6が相互に無関係に、水素またはメチルである
２−ピラゾリニウムイオン（ＩＶｊ′）であるイオン性液体である。
【００６２】
とりわけ有利であるのは、カチオン［Ａ］+が、
●Ｒ1およびＲ2が、相互に無関係に水素、メチル、エチルまたはフェニルであり、かつＲ3〜Ｒ6が相互に無関係に水素またはメチルである
３−ピラゾリニウムイオン（ＩＶｋ）もしくは（ＩＶｋ′）であるイオン性液体である。
【００６３】
とりわけ有利であるのは、カチオン［Ａ］+が、
●Ｒ1およびＲ2が、相互に無関係に水素、メチル、エチル、１−ブチルまたはフェニルであり、Ｒ3およびＲ4が、相互に無関係に水素、メチルまたはエチルであり、かつＲ5およびＲ6が、相互に無関係に水素またはメチルである
イミダゾリニウムイオン（ＩｖＩ）であるイオン性液体である。
【００６４】
とりわけ有利であるのは、カチオン［Ａ］+が、
●Ｒ1およびＲ2が、相互に無関係に水素、メチルまたはエチルであり、かつＲ3〜Ｒ6が相互に無関係に水素またはメチルである
イミダゾリニウムイオン（ＩＶｍ）もしくは（ＩＶｍ′）であるイオン性液体である。
【００６５】
とりわけ有利であるのは、カチオン［Ａ］+が、
●Ｒ1〜Ｒ3が相互に無関係に水素、メチルまたはエチルであり、かつＲ4〜Ｒ6が、相互に無関係に水素またはメチルである
イミダゾリニウムイオン（ＩＶｎ）もしくは（ＩＶｎ′）であるイオン性液体である。
【００６６】
とりわけ有利であるのは、カチオン［Ａ］+が、
●Ｒ1が、水素、メチル、エチルまたはフェニルであり、かつＲ2およびＲ3が相互に無関係に水素またはメチルである
チアゾリウムイオン（ＩＶｏ）もしくは（ＩＶｏ）ならびにオキサゾリウムイオン（ＩＶｐ）であるイオン性液体である。
【００６７】
とりわけ有利であるのは、カチオン［Ａ］+が、
●Ｒ1およびＲ2が相互に無関係に水素、メチル、エチルまたはフェニルであり、かつＲ3が水素、メチルまたはフェニルである
１，２，４−トリアゾリウムイオン（ＩＶｑ）、（ＩＶｑ′）もしくは（ＩＶｑ″）であるイオン性液体である。
【００６８】
とりわけ有利であるのは、カチオン［Ａ］+が、
●Ｒ1が、水素、メチルまたはエチルであり、かつＲ2およびＲ3が相互に無関係に水素またはメチルである、またはＲ2およびＲ3が一緒になって１，４−ブタ−１，３−ジエニレンである
１，２，３−トリアゾリウムイオン（ＩＶｒ）、（ＩＶｒ′）もしくは（ＩＶｒ″）であるイオン性液体である。
【００６９】
とりわけ有利であるのは、カチオン［Ａ］+が、
●Ｒ1が、水素、メチル、エチルまたはフェニルであり、かつＲ2〜Ｒ9が相互に無関係に水素またはメチルである
ピロリジニウムイオン（ＩＶｓ）であるイオン性液体である。
【００７０】
とりわけ有利であるのは、カチオン［Ａ］+が、
●Ｒ1〜Ｒ4が、相互に無関係に水素、メチル、エチルまたはフェニルであり、かつＲ2およびＲ3ならびにＲ5〜Ｒ8が相互に無関係に水素またはメチルである
イミダゾリジニウムイオン（ＩＶｔ）であるイオン性液体である。
【００７１】
とりわけ有利であるのは、カチオン［Ａ］+が、
●Ｒ1〜Ｒ3が、相互に無関係にＣ1〜Ｃ18−アルキルである、または
●Ｒ1〜Ｒ3が、相互に無関係に水素またはＣ1〜Ｃ18−アルキルであり、かつＲ4が２−ヒドロキシエチルである、または
●Ｒ1およびＲ2が、一緒になって１，５−ペンチレンまたは３−オキサ−１，５−ペンチレンであり、かつＲ3がＣ1〜Ｃ18−アルキル、２−ヒドロキシエチルまたは２−シアノエチルである
アンモニウムイオン（ＩＶｕ）であるイオン性液体である。
【００７２】
とりわけ有利なアンモニウムイオン（ＩＶｕ）として、メチル−トリ−（１−ブチル）−アンモニウム、２−ヒドロキシエチル−アンモニウム、Ｎ，Ｎ−ジメチルピペリジニウムおよびＮ，Ｎ−ジメチルモルホリニウムが挙げられる。
【００７３】
とりわけ有利であるのは、カチオン［Ａ］+が、
●Ｒ1〜Ｒ5が、メチルである
グアニジニウムイオン（ＩＶｖ）であるイオン性液体である。
【００７４】
とりわけ有利なグアニジニウムイオン（ＩＶｖ）として、Ｎ，Ｎ，Ｎ′，Ｎ′，Ｎ″，Ｎ″−ヘキサメチルグアニジニウムが挙げられる。
【００７５】
とりわけ有利には、カチオン［Ａ］+が、
●Ｒ1およびＲ2が、相互に無関係にメチル、エチル、１−ブチルまたは１−オクチルであり、かつＲ3が、水素、メチル、エチル、アセチル、−ＳＯ2ＯＨまたは−ＰＯ（ＯＨ）2であり、
●Ｒ1が、メチル、エチル、１−ブチルまたは１−オクチルであり、Ｒ2が、−ＣＨ2−ＣＨ2−ＯＲ4−基であり、かつＲ3およびＲ4が、相互に無関係に水素、メチル、エチル、アセチル、−ＳＯ2ＯＨまたは−ＰＯ（ＯＨ）2であるか、または
●Ｒ1が、−ＣＨ2−ＣＨ2−ＯＲ4−基であり、Ｒ2が、−ＣＨ2−ＣＨ2−ＯＲ5−基であり、かつＲ3〜Ｒ5が、相互に無関係に水素、メチル、エチル、アセチル、−ＳＯ2ＯＨまたは−ＰＯ（ＯＨ）2である
コリニウムイオン（ＩＶｗ）であるイオン性液体である。
【００７６】
とりわけ有利であるのは、カチオン［Ａ］+が、
●Ｒ1〜Ｒ3が、相互に無関係にＣ1〜Ｃ18−アルキル、特にブチル、イソブチル、１−ヘキシルまたは１−オクチルである
ホスホニウムイオン（ＩＶｘ）であるイオン性液体である。
【００７７】
前記のカチオンの中で、ピリジニウムイオン（ＩＶａ）、イミダゾリウムイオン（ＩＶｅ）およびアンモニウムイオン（ＩＶｕ）が有利であり、特に１−メチルピリジニウム、１−エチルピリジニウム、１−（１−ブチル）ピリジニウム、１−（１−ヘキシル）ピリジニウム、１−（１−オクチル）ピリジニウム、１−（１−ヘキシル）−ピリジニウム、１−（１−オクチル）−ピリジニウム、１−（１−ドデシル）−ピリジニウム、１−（１−テトラデシル）−ピリジニウム、１−（１−ヘキサデシル）−ピリジニウム、１，２−ジメチルピリジニウム、１−エチル−２−メチルピリジニウム、１−（１−ブチル）−２−メチルピリジニウム、１−（１−ヘキシル）−２−メチルピリジニウム、１−（１−オクチル）−２−メチルピリジニウム、１−（１−ドデシル）−２−メチルピリジニウム、１−（１−テトラデシル）−２−メチルピリジニウム、１−（１−ヘキサデシル）−２−メチルピリジニウム、１−メチル−２−エチルピリジニウム、１，２−ジエチルピリジニウム、１−（１−ブチル）−２−エチルピリジニウム、１−（１−ヘキシル）−２−エチルピリジニウム、１−（１−オクチル）−２−エチルピリジニウム、１−（１−ドデシル）−２−エチルピリジニウム、１−（１−テトラデシル）−２−エチルピリジニウム、１−（１−ヘキサデシル）−２−エチルピリジニウム、１，２−ジメチル−５−エチル−ピリジニウム、１，５−ジエチル−２−メチル−ピリジニウム、１−（１−ブチル）−２−メチル−３−エチル−ピリジニウム、１−（１−ヘキシル）−２−メチル−３−エチル−ピリジニウム、１−（１−オクチル）−２−メチル−３−エチル−ピリジニウム、１−（１−ドデシル）−２−メチル−３−エチル−ピリジニウム、１−（１−テトラデシル）−２−メチル−３−エチル−ピリジニウム、１−（１−ヘキサデシル）−２−メチル−３−エチル−ピリジニウム、１−メチルイミダゾリウム、１−エチルイミダゾリウム、１−（１−ブチル）−イミダゾリウム、１−（１−オクチル）−イミダゾリウム、１−（１−ドデシル）−イミダゾリウム、１−（１−テトラデシル）−イミダゾリウム、１−（１−ヘキサデシル）−イミダゾリウム、１，３−ジメチルイミダゾリウム、１−エチル−３−メチルイミダゾリウム、１−（１−ブチル）−３−メチルイミダゾリウム、１−（１−ヘキシル）−３−メチル−イミダゾリウム、１−（１−オクチル）−３−メチルイミダゾリウム、１−（１−ヘキサデシル）−３−メチルイミダゾリウム、１−（１−テトラデシル）−３−メチルイミダゾリウム、１−（１−ヘキサデシル）−３−メチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチル−イミダゾリウム、１−（１−ヘキシル）−２，３−ジメチル−イミダゾリウムおよび１−（１−オクチル）−２，３−ジメチル−イミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチルイミダゾリウム、１，３，４，５−テトラメチルイミダゾリウム、１，４，５−トリメチル−３−エチルイミダゾリウム、１，４，５−トリメチル−３−ブチルイミダゾリウム、１，４，５−トリメチル−３−オクチルイミダゾリウムおよび２−ヒドロキシエチル−アンモニウムである。
【００７８】
式（ＩＩＩａ）〜（ＩＩＩｊ）中に挙げられた金属カチオン［Ｍ1］+、［Ｍ2］+、［Ｍ3］+、［Ｍ4］2+および［Ｍ5］3+は、一般に周期律表の第１、２、６、７、８、９、１０、１１、１２および１３族の金属カチオンである。適切な金属カチオンはたとえばＬｉ+、Ｎａ+、Ｋ+、Ｃｓ+、Ｍｇ2+、Ｃａ2+、Ｂａ2+、Ｃｒ3+、Ｆｅ2+、Ｆｅ3+、Ｃｏ2+、Ｎｉ2+、Ｃｕ2+、Ａｇ+、Ｚｎ2+およびＡｌ3+である。
【００７９】
アニオンとして原則として、カチオンと結合してイオン性液体を生じる全てのアニオンを使用することができる。
【００８０】
イオン性液体のアニオン［Ｙ］n-はたとえば次の群から選択されている：
●式Ｆ-、Ｃｌ-、Ｂｒ-、Ｉ-、ＢＦ4-、ＰＦ6-、ＡｌＣｌ4-、Ａｌ2Ｃｌ7-、Ａｌ3Ｃｌ10-、ＡｌＢｒ4-、ＦｅＣｌ4-、ＢＣｌ4-、ＳｂＦ6-、ＡｓＦ6-、ＺｎＣｌ3-、ＳｎＣｌ3-、ＣｕＣｌ2-、ＣＦ3ＳＯ3-、（ＣＦ3ＳＯ3）2Ｎ-、ＣＦ3ＣＯ2-、ＣＣｌ3ＣＯ2-、ＣＮ-、ＳＣＮ-、ＯＣＮ-、ＮＯ2-、ＮＯ3-、Ｎ（ＣＮ）-のハロゲン化物およびハロゲン含有化合物の群；
●一般式ＳＯ42-、ＨＳＯ4-、ＳＯ32-、ＨＳＯ3-、ＲaＯＳＯ3-、ＲaＳＯ3-の硫酸イオン、亜硫酸イオンおよびスルホン酸イオンの群；
●一般式ＰＯ43-、ＨＰＯ42-、Ｈ2ＰＯ4-、ＲaＰＯ42-、ＨＲaＰＯ4-、ＲaＲbＰＯ4-のリン酸イオンの群；
●一般式ＲaＨＰＯ3-、ＲaＲbＰＯ2-、ＲaＲbＰＯ3-のホスホン酸イオンおよびホスフィン酸イオンの群；
●一般式ＰＯ33-、ＨＰＯ32-、Ｈ2ＰＯ3-、ＲaＰＯ32-、ＲaＨＰＯ3-、ＲaＲbＰＯ3-の亜リン酸イオンの群；
●一般式ＲaＲbＰＯ2-、ＲaＨＰＯ2-、ＲaＲbＰＯ-、ＲaＨＰＯ-のホスホニットおよびホスフィニットの群；
●一般式ＲaＣＯＯ-のカルボン酸イオンの群；
●一般式ＢＯ33-、ＨＢＯ32-、Ｈ2ＢＯ3-、ＲaＲbＢＯ3-、ＲaＨＢＯ3-、ＲaＢＯ32-、Ｂ（ＯＲa）（ＯＲb）（ＯＲc）（ＯＲd）-、Ｂ（ＨＳＯ4）-、Ｂ（ＲaＳＯ4）-のホウ酸イオンの群；
●一般式ＲaＢＯ22-、ＲaＲbＢＯ-のボロン酸イオンの群；
●一般式ＨＣＯ3-、ＣＯ32-、ＲaＣＯ3-の炭酸イオンおよび炭酸エステルの群；
●一般式ＳｉＯ44-、ＨＳｉＯ43-、Ｈ2ＳｉＯ42-、Ｈ3ＳｉＯ4-、ＲaＳｉＯ43-、ＲaＲbＳｉＯ42-、ＲaＲbＲcＳｉＯ4-、ＨＲaＳｉＯ42-のケイ酸イオンおよびケイ酸エステルの群；
●一般式ＲaＳｉＯ33-、ＲaＲbＳｉＯ22-、ＲaＲbＲcＳｉＯ-、ＲaＲbＲcＳｉＯ3-、ＲaＲbＲcＳｉＯ2-、ＲaＲbＳｉＯ32-のアルキル−もしくはアリールシラン塩の群；
●一般式
【化７】
2007538222.tif 000008
のカルボン酸イミド、ビス（スルホニル）イミドおよびスルホニルイミドの群；
●一般式
【化８】
2007538222.tif 000009
のメチドの群；
●一般式ＲaＯ-のアルコキシドおよびアリールオキシドの群；
●一般式［ＭrＨａｌt］s-（式中、Ｍは金属を表し、かつＨａｌはフッ素、塩素、臭素またはヨウ素を表し、ｒおよびｔは、正の整数であり、かつ錯体の化学量論比を表し、かつｓは、正の整数であり、かつ錯体の電荷を表す）のハロゲン化金属の群；
●一般式Ｓ2-、ＨＳ-、［Ｓv］2-、［ＨＳv］-、［ＲaＳ］-（式中、ｖは２〜１０の正の整数である）の硫化物、硫化水素、多硫化物、多硫化水素およびチオレートの群；
●Ｆｅ（ＣＮ）63-、Ｆｅ（ＣＮ）64-、ＭｎＯ4-、Ｆｅ（ＣＯ）4-の錯体の金属イオンの群。
【００８１】
上記でＲa、Ｒb、ＲcおよびＲdは相互に無関係にそのつど、
●水素、
●Ｃ1〜Ｃ30−アルキルおよびこれらのアリール−、ヘテロアリール−、シクロアルキル−、ハロゲン−、ヒドロキシ−、アミノ−、カルボキシ−、ホルミル−、−Ｏ−、−ＣＯ−、−ＣＯ−Ｏ−または−ＣＯ−Ｎ＜置換された成分、たとえばメチル、エチル、１−プロピル、２−プロピル、１−ブチル、２−ブチル、２−メチル−１−プロピル（イソブチル）、２−メチル−２−プロピル（ｔ−ブチル）、１−ペンチル、２−ペンチル、３−ペンチル、２−メチル−１−ブチル、３−メチル−１−ブチル、２−メチル−２−ブチル、３−メチル−２−ブチル、２，２−ジメチル−１−プロピル、１−ヘキシル、２−ヘキシル、３−ヘキシル、２−メチル−１−ペンチル、３−メチル−１−ペンチル、４−メチル−１−ペンチル、２−メチル−２−ペンチル、３−メチル−２−ペンチル、４−メチル−２−ペンチル、２−メチル−３−ペンチル、３−メチル−３−ペンチル、２，２−ジメチル−１−ブチル、２，３−ジメチル−１−ブチル、３，３−ジメチル−１−ブチル、２−エチル−１−ブチル、２，３−ジメチル−２−ブチル、３，３−ジメチル−２−ブチル、ヘプチル、オクチル、ノニル、デシル、ウンデシル、ドデシル、トリデシル、テトラデシル、ペンタデシル、ヘキサデシル、ヘプタデシル、オクタデシル、ノナデシル、エイコシル、ヘンエイコシル、ドコシル、トリコシル、テトラコシル、ペンタコシル、ヘキサコシル、ヘプタコシル、オクタコシル、ノナコシル、トリアコンチル、フェニルメチル（ベンジル）、ジフェニルメチル、トリフェニルメチル、２−フェニルエチル、３−フェニルプロピル、シクロペンチルメチル、２−シクロペンチルエチル、３−シクロペンチルプロピル、シクロヘキシルメチル、２−シクロヘキシルエチル、３−シクロヘキシルプロピル、メトキシ、エトキシ、ホルミル、アセチルまたはＣqＦ2(q-a)+(1-b)Ｈ2a+b（式中、ｑ≦３０、０≦ａ≦ｑおよびｂ＝０または１（たとえばＣＦ3、Ｃ2Ｆ5、ＣＨ2ＣＨ2-Ｃ(q-2)Ｆ2(q-2)+1、Ｃ6Ｆ13、Ｃ8Ｆ17、Ｃ10Ｆ21、Ｃ12Ｆ25）；
●Ｃ3〜Ｃ12−シクロアルキルおよびこれらのアリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−置換された成分、たとえばシクロペンチル、２−メチル−１−シクロペンチル、３−メチル−１−シクロペンチル、シクロヘキシル、２−メチル−１−シクロヘキシル、３−メチル−１−シクロヘキシル、４−メチル−１−シクロヘキシルまたはＣqＦ2(q-a)-(1-b)Ｈ2a-b（式中、ｑ≦３０、０≦ａ≦ｑおよびｂ＝０または１である）；
●Ｃ2〜Ｃ30−アルケニルおよびこれらのアリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−置換された成分、たとえば２−プロペニル、３−ブテニル、シス−２−ブテニル、トランス−２−ブテニルまたはＣqＦ2(q-a)-(1-b)Ｈ2a-b（式中、ｑ≦３０、０≦ａ≦ｑおよびｂ＝０または１である）；
●Ｃ3〜Ｃ12−シクロアルケニルおよびこれらのアリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−置換された成分、たとえば３−シクロペンチル、２−シクロヘキセニル、３−シクロヘキセニル、２，５−シクロヘキサジエニルまたはＣqＦ2(q-a)-3(1-b)Ｈ2a-3b（式中、ｑ≦３０、０≦ａ≦ｑおよびｂ＝０または１である）；
●２〜３０個の炭素原子を有するアリールまたはヘテロアリールおよびこれらのアルキル−、アリール−、ヘテロアリール−、シクロアルキル−、ハロゲン−、ヒドロキシ−、アミノ−、カルボキシ−、ホルミル−、−Ｏ−、−ＣＯ−または−ＣＯ−Ｏ−置換された成分、たとえばフェニル、２−メチル−フェニル（２−トリル）、３−メチル−フェニル（３−トリル）、４−メチル−フェニル、２−エチル−フェニル、３−エチル−フェニル、４−エチル−フェニル、２，３−ジメチル−フェニル、２，４−ジメチル−フェニル、２，５−ジメチル−フェニル、２，６−ジメチル−フェニル、３，４−ジメチル−フェニル、３，５−ジメチル−フェニル、４−フェニル−フェニル、１−ナフチル、２−ナフチル、１−ピロリル、２−ピロリル、３−ピロリル、２−ピリジニル、３−ピリジニル、４−ピリジニルまたはＣ6Ｆ(5-a)Ｈa（式中、０≦ａ≦５である）または
●２つの基が、不飽和、飽和または芳香族の、場合により官能基、アリール、アルキル、アリールオキシ、アルキルオキシ、ハロゲン、ヘテロ原子および／または複素環により置換されており、かつ場合により１もしくは複数の酸素原子および／または硫黄原子および／または１もしくは複数の置換されているか、または置換されていないイミノ基により中断されている環を表す。
【００８２】
とりわけ有利なアニオンは、塩化物イオン、臭化物イオン、ヨウ化物イオン、チオシアン酸イオン、ヘキサフルオロリン酸イオン、トリフルオロメタンスルホン酸イオン、メタンスルホン酸イオン、ギ酸イオン、酢酸イオン、マンデル酸イオン、硝酸イオン、亜硝酸イオン、トリフルオロ酢酸イオン、硫酸イオン、硫酸水素イオン、メチル硫酸イオン、エチル硫酸イオン、１−プロピル硫酸イオン、１−ブチル硫酸イオン、１−ヘキシル硫酸イオン、１−オクチル硫酸イオン、リン酸イオン、二水素リン酸イオン、リン酸水素イオン、Ｃ1〜Ｃ4−ジアルキルホスホン酸イオン、プロピオン酸イオン、テトラクロロアルミン酸イオン、Ａｌ2Ｃｌ7-、クロロ亜鉛酸イオン、クロロ鉄酸イオン、ビス（トリフルオロメチルスルホニル）イミド、ビス（ペンタフルオロエチルスルホニル）イミド、ビス（メチルスルホニル）イミド、ビス（ｐ−トリルスルホニル）イミド、トリス（トリフルオロメチルスルホニル）メチド、ビス（ペンタフルオロエチルスルホニル）メチド、ｐ−トリルスルホン酸イオン、テトラカルボニルコバルト酸イオン、ジメチレングリコールモノメチルエーテル硫酸イオン、オレイン酸イオン、ステアリン酸イオン、アクリル酸イオン、メタクリル酸イオン、マレイン酸イオン、クエン酸水素イオン、ビニルホスホン酸イオン、ビス（ペンタフルオロエチル）ホスフィン酸イオン、ホウ酸イオン、たとえばビス［サリチラト（２−）ボレート、ビス［オキサラト（２−）］ボレート、ビス［１，２−ベンゼンジオラト（２−）−Ｏ，Ｏ′］ホウ酸イオン、テトラシアノホウ酸イオン、テトラフルオロホウ酸イオン、ジシアナミド、トリス（ペンタフルオロエチル）トリフルオロホスフェート、トリス（ヘプタフルオロプロピル）トリフルオロホスフェート、環式アリールホスフェート、たとえばピロカテコールホスフェート（Ｃ6Ｈ4Ｏ2）Ｐ（Ｏ）Ｏ-およびクロロコバルト酸イオン。
【００８３】
とりわけ有利なアニオンは、塩化物イオン、臭化物イオン、硫酸水素イオン、テトラクロロアルミン酸イオン、チオシアン酸イオン、メチル硫酸イオン、エチル硫酸イオン、メタンスルホン酸イオン、ギ酸イオン、酢酸イオン、ジメチルリン酸イオン、ジエチルリン酸イオン、ｐ−トリルスルホン酸イオン、テトラフルオロホウ酸イオンおよびヘキサフルオロリン酸イオンである。
【００８４】
特に有利であるのは、カチオンとして
メチル−トリ−（１−ブチル）−アンモニウム、２−ヒドロキシエチルアンモニウム、１−メチルイミダゾリウム、１−エチルイミダゾリウム、１−（１−ブチル）−イミダゾリウム、１−（１−オクチル）−イミダゾリウム、１−（１−ドデシル）−イミダゾリウム、１−（１−テトラデシル）−イミダゾリウム、１−（１−ヘキサデシル）−イミダゾリウム、１，３−ジメチルイミダゾリウム、１−エチル−３−メチルイミダゾリウム、１−（１−ブチル）−３−メチルイミダゾリウム、１−（１−ブチル）−３−エチルイミダゾリウム、１−（１−ヘキシル）−３−メチル−イミダゾリウム、１−（１−ヘキシル）−３−エチル−イミダゾリウム、１−（１−ヘキシル）−３−ブチル−イミダゾリウム、１−（１−オクチル）−３−メチルイミダゾリウム、１−（１−オクチル）−３−エチルイミダゾリウム、１−（１−オクチル）−３−ブチルイミダゾリウム、１−（１−ドデシル）−３−メチルイミダゾリウム、１−（１−ドデシル）−３−エチルイミダゾリウム、１−（１−ドデシル）−３−ブチルイミダゾリウム、１−（１−ドデシル）−３−オクチルイミダゾリウム、１−（１−テトラデシル）−３−メチルイミダゾリウム、１−（１−テトラデシル）−３−エチルイミダゾリウム、１−（１−テトラデシル）−３−ブチルイミダゾリウム、１−（１−テトラデシル）−３−オクチルイミダゾリウム、１−（１−ヘキサデシル）−３−メチルイミダゾリウム、１−（１−ヘキサデシル）−３−エチルイミダゾリウム、１−（１−ヘキサデシル）−３−ブチルイミダゾリウム、１−（１−ヘキサデシル）−３−オクチルイミダゾリウム、１，２−ジメチルイミダゾリウム、１，２，３−トリメチルイミダゾリウム、１−エチル−２，３−ジメチルイミダゾリウム、１−（１−ブチル）−２，３−ジメチル−イミダゾリウム、１−（１−ヘキシル）−２，３−ジメチル−イミダゾリウム、１−（１−オクチル）−２，３−ジメチル−イミダゾリウム、１，４−ジメチルイミダゾリウム、１，３，４−トリメチルイミダゾリウム、１，４−ジメチル−３−エチルイミダゾリウム、３−ブチルイミダゾリウム、１，４−ジメチル−３−オクチルイミダゾリウム、１，４，５−トリメチル−イミダゾリウム、１，３，４，５−テトラメチルイミダゾリウム、１，４，５−トリメチル−３−エチルイミダゾリウム、１，４，５−トリメチル−３−ブチルイミダゾリウムまたは１，４，５−トリメチル−３−オクチルイミダゾリウム
を有し、かつアニオンとして
塩化物イオン、臭化物イオン、硫酸水素イオン、テトラクロロアルミン酸イオン、チオシアン酸イオン、メチル硫酸イオン、エチル硫酸イオン、メタンスルホン酸イオン、ギ酸イオン、酢酸イオン、ジメチルリン酸イオン、ジエチルリン酸イオン、ｐ−トリルスルホン酸イオン、テトラフルオロホウ酸イオンおよびヘキサフルオロリン酸イオン
を有するイオン性液体である。
【００８５】
さらに特に有利であるのは、以下のイオン性液体である：
１，３−ジメチルイミダゾリウム−メチル硫酸塩、１，３−ジメチルイミダゾリウム−硫酸水素塩、１，３−ジメチルイミダゾリウム−ジメチルリン酸塩、１−エチル−３−メチルイミダゾリウム−メチル硫酸塩、１−エチル−３−メチルイミダゾリウム−硫酸水素塩、１−エチル−３−メチルイミダゾリウムチオシアン酸塩、１−エチル−３−メチルイミダゾリウム酢酸塩、１−エチル−３−メチルイミダゾリウムメタンスルホン酸塩、１−エチル−３−メチルイミダゾリウムジエチルリン酸塩、１−（１−ブチル）−３−メチルイミダゾリウムメチル硫酸塩、１−（１−ブチル）−３−メチルイミダゾリウム硫酸水素塩、１−（１−ブチル）−３−メチルイミダゾリウムチオシアン酸塩、１−（１−ブチル）−３−メチルイミダゾリウム酢酸塩、１−（１−ブチル）−３−メチルイミダゾリウムメタンスルホン酸塩、１−（１−ドデシル）−３−メチルイミダゾリウムメチル硫酸塩、１−（１−ドデシル）−３−メチルイミダゾリウム硫酸水素塩、１−（１−テトラデシル）−３−メチルイミダゾリウムメチル硫酸塩、１−（１−テトラデシル）−３−メチルイミダゾリウム硫酸水素塩、１−（１−ヘキサデシル）−３−メチルイミダゾリウムメチル硫酸塩または１−（１−ヘキサデシル）−３−メチルイミダゾリウム硫酸水素塩または２−ヒドロキシエチルアンモニウムギ酸塩。
【００８６】
さらに有利であるのは、ｎ＝１または２である［Ａ］n+［Ｙ］n-のイオン性液体ならびにｎ＝１または２の［Ａ］n+の二量体に起因する相応する塩であり、この場合、カチオン［Ａ］+は、一般式（ＩＶａ）、（ＩＶｅ）、（ＩＶｆ）、（ＩＶｇ）、（ＩＶｇ′）、（ＩＶｈ）、（ＩＶｍ）（その際、ＮＲ1は、酸素により置換されている）、（ＩＶｑ）、（ＩＶｑ″）、（ＩＶｒ′）、（ＩＶｖ）、（ＩＶｕ）、（ＩＶｘ）のカチオンから選択されており、特に
【化９】
2007538222.tif 000010
［式中、基
Ｒは、水素を表すか、線状もしくは分枝鎖状のＣ1〜Ｃ20−アルキル（これはハロゲン、ヒドロキシル、シアノ、アミノまたはメルカプトから選択される１もしくは複数の基を有していてもよい）または−（Ｒx−Ｘ）w−ＲY（ｗ＝１〜１０であり、Ｒxは、線状もしくは分枝鎖状のＣ1〜Ｃ20−アルキルであり、Ｒyは、水素であるか、または線状もしくは分枝鎖状のＣ1〜Ｃ10−アルキルであり、かつＸは、エーテル基、チオエーテル基、エステル基、シロキサン基またはアミド基である）を表し、
Ｒ1、Ｒ2、Ｒ3、Ｒ4、Ｒ5は相互に無関係に水素、ハロゲン化物、ヒドロキシ、線状もしくは分枝鎖状のＣ1〜Ｃ20−アルキル（これはハロゲン、ヒドロキシル、シアノ、アミノまたはメルカプトから選択される１もしくは複数の基を有していてもよい）を表すか、−（Ｒx−Ｘ）w−ＲY（ｗ＝１〜１０であり、Ｒxは、線状もしくは分枝鎖状のＣ1〜Ｃ20−アルキルであり、Ｒyは、水素または線状もしくは分枝鎖状のＣ1〜Ｃ10−アルキルであり、
かつＸは、エーテル基、チオエーテル基、エステル基、シロキサン基またはアミド基である）を表す］
【化１０】
2007538222.tif 000011
［式中、基
ＲおよびＲ1は相互に無関係に水素を表すか、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０であり、Ｒxは、線状もしくは分枝鎖状のＣ1〜Ｃ20−アルキルであり、Ｒyは、水素または線状もしくは分枝鎖状のＣ1〜Ｃ10−アルキルであり、かつＸは、エーテル基、チオエーテル基、エステル基、シロキサン基またはアミド基である）を表し、
Ｒ2、Ｒ3およびＲ4は、相互に無関係に水素、ハロゲン化物、ヒドロキシを表すか、線状もしくは分枝鎖状のＣ1〜Ｃ20−アルキル（これはハロゲン、ヒドロキシル、シアノ、アミノまたはメルカプトから選択される１もしくは複数の基を有していてもよい）を表すか、−（Ｒx−Ｘ）w−ＲY（ｗ＝１〜１０であり、Ｒxは、線状もしくは分枝鎖状のＣ1〜Ｃ20−アルキル、Ｒyは水素または線状もしくは分枝鎖状のＣ1〜Ｃ10−アルキルであり、かつＸは、エーテル基、チオエーテル基、エステル基、シロキサン基またはアミド基である）を表す］
【化１１】
2007538222.tif 000012
［式中、基
Ｒ、Ｒ1は相互に無関係に水素を表すか、線状もしくは分枝鎖状のＣ1〜Ｃ20−アルキル（これはハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキルを表し、Ｒyは水素または線状もしくは分枝鎖状のＣ1〜Ｃ10−アルキルを表し、かつＸはエーテル基、チオエーテル基、エステル基、シロキサン基またはアミド基を表し、
Ｒ2、Ｒ3、Ｒ4は相互に無関係に水素を表すか、ハロゲン化物、ヒドロキシ、線状もしくは分枝鎖状のＣ1〜Ｃ20−アルキル（これはハロゲン、ヒドロキシル、シアノ、アミノまたはメルカプトから選択される１もしくは複数の基を有していてもよい）を表すか、−（Ｒx−Ｘ）w−ＲY（ｗ＝１〜１０、Ｒxは線状もしくは分枝鎖状のＣ1〜Ｃ20−アルキルを表し、Ｒyは水素または線状もしくは分枝鎖状のＣ1〜Ｃ10−アルキルを表し、かつＸはエーテル基、チオエーテル基、シロキサン基またはアミド基を表す）を表す］
【化１２】
2007538222.tif 000013
［式中、基
Ｒは水素を表すか、線状もしくは分枝鎖状のＣ1〜Ｃ20−アルキル（これはハロゲン、ヒドロキシル、シアノ、アミノまたはメルカプトから選択される１もしくは複数の基を有していていてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、
Ｒ1、Ｒ2、Ｒ3、Ｒ4は相互に無関係に水素を表すか、ハロゲン化物、ヒドロキシ、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表す］
【化１３】
2007538222.tif 000014
［式中、基
Ｒは水素を表すか、線状もしくは分枝鎖状のＣ1〜Ｃ20−アルキル（これはハロゲン、ヒドロキシル、シアノ、アミノまたはメルカプトから選択される１もしくは複数の基を有していていてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、
Ｒ2、Ｒ3、Ｒ4、Ｒ5およびＲ6は相互に無関係に水素を表すか、ハロゲン化物、ヒドロキシ、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、かつＮ−Ｒ1は酸素により置換されている］
【化１４】
2007538222.tif 000015
［式中、基
ＲおよびＲ3は相互に無関係には水素を表すか、線状もしくは分枝鎖状のＣ1〜Ｃ20−アルキル（これはハロゲン、ヒドロキシル、シアノ、アミノまたはメルカプトから選択される１もしくは複数の基を有していていてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、
Ｒ1、Ｒ2は相互に無関係に水素を表すか、ハロゲン化物、ヒドロキシ、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表す］
【化１５】
2007538222.tif 000016
［式中、基
ＲおよびＲ1は相互に無関係に水素を表すか、線状もしくは分枝鎖状のＣ1〜Ｃ20−アルキル（これはハロゲン、ヒドロキシル、シアノ、アミノまたはメルカプトから選択される１もしくは複数の基を有していていてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、
Ｒ2、Ｒ3は相互に無関係に水素を表すか、ハロゲン化物、ヒドロキシ、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表す］
【化１６】
2007538222.tif 000017
［式中、基
Ｒ、Ｒ1、Ｒ2、Ｒ3は相互に無関係に水素を表すか、線状もしくは分枝鎖状のＣ1〜Ｃ20−アルキル（これはハロゲン、ヒドロキシル、シアノ、アミノまたはメルカプトから選択される１もしくは複数の基を有していていてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表すか、
または
ＲおよびＲ1は相互に無関係に水素を表すか、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、
Ｒ2およびＲ3は一緒になって３−オキサ−１，５−ペンチレン基を形成し、これは自体、ハロゲン、ヒドロキシル、線状もしくは分枝鎖状のＣ1〜Ｃ20−アルキル（これはハロゲン、ヒドロキシル、シアノ、アミノまたはメルカプトから選択される１もしくは複数の基を有していていてもよい）、−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）により置換されていてもよいか、
または
ＲおよびＲ1は相互に無関係に水素を表すか、線状もしくは分枝鎖状のＣ1〜Ｃ20−アルキル（これは、ハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表し、
Ｒ2およびＲ3は一緒になって１，４−ブタ−１，３−ジエニレン基を形成し、これは自体、ハロゲン、ヒドロキシル、線状もしくは分枝鎖状のＣ1〜Ｃ20−アルキル（これはハロゲン、ヒドロキシル、シアノ、アミノまたはメルカプトから選択される１もしくは複数の基を有していていてもよい）、−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）により置換されていてもよい］
【化１７】
2007538222.tif 000018
［式中、基
Ｒ、Ｒ1、Ｒ2、Ｒ3、Ｒ4およびＲ5は相互に無関係に水素を表すか、線状もしくは分枝鎖状のＣ1〜Ｃ20−アルキル（これはハロゲン、ヒドロキシル、シアノ、アミノまたはメルカプトから選択される１もしくは複数の基を有していてもよい）を表すか、または−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表す］または
【化１８】
2007538222.tif 000019
［式中、基
Ｒ、Ｒ1、Ｒ2、Ｒ3は相互に無関係に水素を表すか、線状もしくは分枝鎖状のＣ1〜Ｃ20−アルキル（これはハロゲン、ヒドロキシル、シアノ、アミノまたはメルカプトから選択される１もしくは複数の基を有していてもよい）を表すか、
または
−（Ｒx−Ｘ）w−ＲY（ｗ＝１〜１０、Ｒxは線状もしくは分枝鎖状のＣ1〜Ｃ20−アルキル、Ｒyは水素または線状もしくは分枝鎖状のＣ1〜Ｃ10−アルキルを表し、かつＸはエーテル基、チオエーテル基、エステル基、シロキサン基またはアミド基を表す）を表す］から選択されている。
【００８７】
アニオン［Ｙ］n-は、ハロゲン化物、テトラフルオロホウ酸イオン、硫酸イオン、リン酸イオン、ＲuＲvＰＯ2-、ジシアナミド、カルボン酸イオンＲu-ＣＯＯ-、スルホン酸イオン-Ｒu-ＳＯ3-、ベンゼンスルホン酸イオン、トルエンスルホン酸イオン、有機硫酸イオンＲu-Ｏ−ＳＯ3-、ビス（スルホン）イミド［Ｒu−ＳＯ2−Ｎ−ＳＯ2−Ｒv］-、構造［Ｒu-ＣＯ−Ｎ−ＣＯ−Ｒv］および構造［Ｒu−ＳＯ2−Ｎ−ＣＯ−Ｒv］-のイミド、ならびにギ酸イオン、その際、ＲuおよびＲvは相互に無関係に線状もしくは分枝鎖状の、脂肪族もしくは脂環式Ｃ1〜Ｃ20−アルキル、Ｃ5〜Ｃ15−アリール、Ｃ5〜Ｃ15−アリール−Ｃ1〜Ｃ6−アルキルまたはＣ1〜Ｃ6−アルキル−Ｃ5〜Ｃ15−アリールであり、その際、前記の基はハロゲンおよび／ヒドロキシルの群から選択される１もしくは複数の基により置換されていてもよい。
【００８８】
特に有利であるのは、成分Ａ）として水、メタノールまたはアンモニア、特に水またはアンモニアであり、かつ成分Ｂ）として前記の特別な実施態様に記載したイオン性液体を含有する作業物質組み合わせである。この場合、極めて有利であるのは、成分Ａ）として水を含有する作業物質組み合わせである。同様に特に有利であるのはこの場合、成分Ａ）としてアンモニアを含有する作業物質組み合わせである。
【００８９】
同様に特に有利であるのは、成分Ａ）として、作業物質組み合わせの全質量に対して、少なくとも１０質量％、有利には少なくとも２０質量％、特に少なくとも３０質量％の作業物質を含有する作業物質組み合わせである。
【００９０】
同様に特に有利であるのは、成分Ｂ）として、作業物質組み合わせの全質量に対して、最大で９０質量％、有利には最大で８０質量％、特に最大で７０質量％のイオン性液体を含有する作業物質組み合わせである。
【００９１】
さらに、作業物質およびイオン性液体が−２０〜２００℃、特に有利には−５℃〜１５０℃の温度範囲で混和性であることを特徴とする作業物質組み合わせは特に有利である。特に有利であるのはこの場合、作業物質が水である作業物質組み合わせである。
【００９２】
さらに、作業物質およびイオン性液体が、−６０〜１００℃、特に有利には−４０〜５０℃の温度範囲で混和性であることを特徴とする作業物質組み合わせが特に有利である。特に有利であるのはこの場合、作業物質がアンモニアである作業物質組み合わせである。
【００９３】
もう１つの実施態様では、イオン性液体を適切な固体の担体上に施与することができる。
【００９４】
本発明のもう１つの対象は、吸収ヒートポンプ、吸収冷凍機および熱変換器中での吸収剤としてのイオン性液体の使用である。有利な実施態様に関して前記の有利な態様が同様に妥当する。
【００９５】
本発明のもう１つの対象は、凝縮器、膨張機関、ボイラーおよび吸収装置を有し、吸収剤としてイオン性液体を含有する吸収ヒートポンプ、吸収冷凍機および熱変換器に関する。有利な実施態様に関して前記のイオン性液体の有利な態様が同様に妥当する。
【００９６】
同様に本発明は、凝縮器、膨張機関、排出装置および吸収装置を有し、同様に作業物質およびイオン性液体を含有する作業物質組み合わせを含有する吸収ヒートポンプ、吸収冷凍機および熱変換器に関する。有利な実施態様に関して前記の作業物質組み合わせに関する有利な態様が同様に妥当する。
【００９７】
本発明を以下の例により詳細に説明する。
【００９８】
本発明によるイオン性液体は、無視することができるほど小さい蒸気圧を有しているため、イオン性液体および作業物質を含有する本発明による作業物質組み合わせが特に適切であり、たとえばアンモニア−水の作業物質組み合わせの場合のような物質分離の問題が回避される。
【００９９】
本発明によるイオン性液体は温度範囲の作業範囲において液状である。従って本発明によるイオン性液体および作業物質を含有する作業物質組み合わせは特に適切である。というのも、晶出する塩の問題が生じないからである。従って吸収剤から全ての作業物質、たとえば水を除去し、かつ冷却のために使用することができる（高い排気範囲）。さらに吸収剤の輸送の際に、排出装置と吸収装置との間には吸収剤自体が存在するのみであり、つまりイオン性液体を冷却し、かつさらにたとえば臭化リチウムと水との物質組み合わせの場合のような付加的な作業物質が存在しないからである。
【０１００】
イオン性液体と作業物質との混和性が与えられているので、イオン性液体であるエチルメチルイミダゾリウムトリフレートを水と混和することができる。
【０１０１】
さらにイオン性液体の耐熱性は優れている；Ｂｌａｎｋｅ等、Ｐｒｏｃｅｅｄｉｎｇｓ  ｏｆ  ｔｈｅ  １１ｔｈ  ＳｏｌａｒＰＡＣＥＳ  Ｉｎｔｅｒｎａｔｉｏｎａｌ  Ｓｙｍｐｏｓｉｕｍ、２００２年は、３００℃をはるかに上回る温度を達成することができることを出発点としている。従って本発明による作業物質組み合わせのためにも、良好な安定性および耐熱性が生じる。
【０１０２】
さらに、これまで試験したイオン性液体の毒性はわずかであると評価されている（たとえばＬＤ50＞１０００ｍｇ／ｋｇ）。その実質的にほとんど測定することができない蒸気圧に基づいて、該イオン性液体は、潜在的に引火性の混合物を形成せず、従って爆発源にも毒性の問題にもならない。
【０１０３】
また、水の蒸気圧はイオン性液体、たとえば２−ヒドロキシエチルアンモニウムホルメート中に溶解する場合には、４分の１に低減することができることも判明した。
【０１０４】
このために、通例の相平衡温度で、２−ヒドロキシエチルアンモニウムホルメート水溶液を上回る水の分圧が測定された（気相中でのＦＴＩＲ−分光分析による）。３０．５℃および２−ヒドロキシエチルアンモニウムホルメート８４質量％および水１６質量％を含有する溶液において、この溶液により約１０ミリバールの水の分圧が測定され、他方、水自体による水の分圧は約４０ミリバールであった。温度３４℃および２−ヒドロキシエチルアンモニウムホルメート８７質量％および水１３質量％を含有する溶液では、この溶液により約１２ミリバールの水の分圧が測定され、他方、水自体による水の分圧はこの温度で約５０ミリバールであった。
【０１０５】
同様に、従来、臭化リチウム／水の作業物質組み合わせにより運転される、既存の吸収冷凍機中で、前記の作業物質組み合わせはイオン性液体／水の系、たとえばＮ−エチル−Ｎ−メチルイミダゾリウムテトラフルオロボレート／水により交換することができ、その際、新しい吸収剤を用いて運転するために、装置の構造を変更する必要はなかった。
【０１０６】
有利な実施態様では、従来、水／アンモニアの作業物質組み合わせにより運転される吸収ヒートポンプを、イオン性液体／アンモニアの作業物質組み合わせにより運転することができる。この場合、さもなければ通例行われる水／アンモニア混合物の精留が省略される。というのも、イオン性液体からのアンモニアの分離は、アンモニアの気化により完了しているからである。
【国際調査報告】
2007538222.tif 000022
2007538222.tif 000023
2007538222.tif 000024
2007538222.tif 000025
2007538222.tif 000026
2007538222.tif 000027